(57)【特許請求の範囲】
【請求項１】
建物家屋毎に設けられた公共マスと、複数の公共マスから流出された汚水を溜める真空弁ユニットと、該真空弁ユニットに溜められた汚水を真空下水管を介して収集する真空ステーションを有する真空式下水道汚水収集装置に用いられて、
前記真空弁ユニットに設けられて真空弁ユニットの故障又は異常を検出するセンサと、
前記真空ステーションに設けられて該センサで検知された故障又は異常情報を監視する監視装置とを有する真空式下水道汚水収集装置の維持管理システムを用いた安否監視システムであって、
前記公共マスにセンサを設けて、該センサでは、前記建物家屋から排出された汚水の流出入を検出すると共に、
前記真空ステーションの監視装置では、該検出データを集積して、前記建物家屋の住人の安否を監視することを特徴とする真空式下水道汚水収集装置の維持管理システムを用いた安否監視システム。
【請求項２】
前記真空弁ユニットに設けられるセンサは、真空弁の開閉を検出する弁センサ及び／又は汚水の滞留量を検出する水位センサであることを特徴とする請求項１記載の安否監視システム。
【請求項３】
前記監視装置には、検出データのパターンによって、使用頻度の高い時間帯を抽出して、検出時間帯を設定する検出時間帯設定手段と、該検出時間帯内の検出データに基づいて、前記建物家屋の住人の安否を判断する安否判断手段とを有することを特徴とする請求項１又は２に記載の安否監視システム。
【発明の詳細な説明】
【０００１】
【発明の属する技術分野】
本発明は、追加工事の増大を抑制して、既存のインフラを活用出来る真空式下水道汚水収集装置の維持管理システムを用いた安否監視システムに関する。
【０００２】
【従来の技術】
従来、図７及び図８に示すような真空式下水道汚水収集装置が知られている。
【０００３】
この様なものでは、各建物家屋１，１から排出される汚水を流下させる自然流下管３が、各建物家屋１，１から真空弁４を設けた真空弁ユニットとしての汚水マス２まで延設されている。
【０００４】
この汚水マス２の真空弁４は、汚水マス２のマス本体２ａ内に溜められた汚水が一定量、例えば４０リットルに到達すると、このマス本体２ａ内を大気圧に開放するように構成されている。
【０００５】
すなわち、この真空弁４は、常時、真空弁吸込管１２と真空汚水管５との間を遮断している。また、マス本体２ａ内に設けられて、下部開口１４ａを臨ませる汚水量検出管１４には、上端に気体圧導入管１５を介して真空弁コントローラ１６が接続されている。
【０００６】
この真空弁コントローラ１６は、前記汚水量検出管１４内の圧力を検出して、一定圧力以上となると、前記真空弁４を開放するように構成されている。
【０００７】
また、この汚水マス２は、真空汚水管５及び真空下水管６を介して真空ステーション７の集水タンク８に接続されている。
【０００８】
この集水タンク８は、前記真空ステーション７内に設けられる真空ポンプ９によって、常に一定の真空度に保持されている。
【０００９】
更に、この集水タンク８には、圧送ポンプ１０が設けられている。この圧送ポンプ１０は、前記集水タンク８内に溜められた汚水を、下水管１１内を流下させて、最終処理場となる下水処理場に送出するように構成されている。
【００１０】
次に、この従来の真空式下水道汚水収集装置の監視システムの作用について説明する。
【００１１】
このように構成された従来の真空式下水道汚水収集装置では、各建物家屋１，１から排出された汚水が、自然流下管３内を流下して前記汚水マス２のマス本体２ａ内に溜められる。
【００１２】
汚水は、前記汚水量検出管１４の下部開口１４ａを閉塞して、汚水量検出管１４内部を上昇し、この汚水量検出管１４内の圧力を上昇させる。
【００１３】
この汚水マス２のマス本体２ａ内に溜められた汚水が一定量、例えば４０リットルに到達すると、前記汚水量検出管１４内の圧力が、予め定められた一定値を越えて、前記真空弁コントローラ８を作動させる。
【００１４】
この真空弁コントローラ８の作動により、前記真空弁４は開放され、大気圧にこのマス本体２ａ内が開放される。
【００１５】
この汚水マス２は、真空汚水管５，５及び真空下水管６を介して真空ステーション７の集水タンク８に接続されているので、この汚水マス２内の汚水が、ベント管１７から導入された空気と共に混合流となり、前記真空汚水管５及び前記真空下水管６を介して前記真空ステーション７の集水タンク８に送られる。
【００１６】
この際、前記真空汚水管５及び前記真空下水管６内では、汚水が、導入された空気と共に、前記真空ポンプ９によって吸引されるので、長い距離、例えば、数百メートル〜数キロメートルの道程であっても、汚水を前記集水タンク８内に収集できる。
【００１７】
このため、真空式下水道汚水収集装置は、各建物家屋１，１間の距離が離間していたり、或いは高低差から、一般の自然流下式下水道を敷設すると、施工コストが割高になりやすい田園町村部等においても、汚水収集効率の良好な施工コストの掛からない下水道として用いることができる。
【００１８】
出願人らが提案する真空式下水道汚水収集装置には、前記真空弁４の異常・故障等を監視する維持管理システムが用いられている（例えば、特許文献１参照。）。
【００１９】
このようなものでは、前記汚水マス２ａ内に、汚水の水位を検出する水位センサ１８及び前記真空弁４の開閉を検知する弁センサ１９が設けられて、前記真空ステーション７に設けられた監視装置２０に、前記真空下水管６に沿って敷設されるケーブルを介して接続されている。
【００２０】
そして、前記監視装置２０によって、汚水水位の正常・異常、真空弁の開閉状態及び動作回数等がモニタリングされて、真空弁の異常・故障等の早期発見が行われるようにしている。
【００２１】
加えて、近年、田園町村部等においては、独居老人の在住する建物家屋が増加傾向にある。例えば、トイレの使用状況等から生活のパターンを把握し、異変を察知した場合には、セキュリティ管理会社等へ通報する生活異変感知装置を用いて、安否を確認することにより、独居老人でも安心した生活を送れるものが知られている（例えば、特許文献２参照。）。
【００２２】
このような生活異変感知装置では、新たに、建物家屋内のトイレに体温を測定する温度センサ、荷重センサ、人体検知センサ、或いは水流センサ等の各種センサを設けると共に、監視を行う前記セキュリティ管理会社との間にも、通信線を別途敷設したり、電話線を介在させなければならず、管理コストが増大してしまうといった問題があった。
【００２３】
【特許文献１】
特開平１０−３１７４７８号公報（１頁〜６頁、図１）
【特許文献２】
特開平８−１６９６６号公報（１頁から５頁）
【００２４】
【発明が解決しようとする課題】
そこで、この発明は、追加工事の増大を抑制して、既存のインフラを活用出来る真空式下水道汚水収集装置の維持管理システムを用いた安否監視システムを提供することを課題としている。
【００２５】
【課題を解決するための手段】
前記目的を達成するために、請求項１記載の発明は、建物家屋毎に設けられた公共マスと、複数の公共マスから流出された汚水を溜める真空弁ユニットと、該真空弁ユニットに溜められた汚水を真空下水管を介して収集する真空ステーションを有する真空式下水道汚水収集装置に用いられて、前記真空弁ユニットに設けられて真空弁ユニットの故障又は異常を検出するセンサと、前記真空ステーションに設けられて該センサで検知された故障又は異常情報を監視する監視装置とを有する真空式下水道汚水収集装置の維持管理システムを用いた安否監視システムであって、
前記公共マスにセンサを設けて、該センサでは、前記建物家屋から排出された汚水の流出入を検出すると共に、
前記真空ステーションの監視装置では、該検出データを集積して、前記建物家屋の住人の安否を監視することを特徴とする真空式下水道汚水収集装置の維持管理システムを用いた安否監視システムである。
【００２６】
このように構成された請求項１記載のものでは、真空弁ユニットが数軒に１個づつ配置して敷設される場合であっても、前記真空ステーションの監視装置では、前記公共マスに設けられたセンサで検出された検出データを集積して、前記建物家屋の住人の安否が監視できる。
【００２７】
このため、新たに、建物家屋内に各種センサを配置する必要が無いと共に、前記公共マスから発信された信号は真空弁ユニットから前記真空ステーションまでの間を接続する既存の回線を利用して、検出データを送受信できるので、追加工事の増大を抑制して、既存のインフラを活用することにより、コストを削減出来る。
【００３９】
また、請求項２記載の発明は、前記真空弁ユニット内に設けられるセンサは、真空弁の開閉を検出する弁センサ及び／又は汚水の滞留量を検出する水位センサであることを特徴とする請求項１記載の安否監視システムである。
【００４０】
このように構成された請求項２記載のものでは、前記真空弁ユニット内に設けられるセンサとして、真空弁の開閉を検出する弁センサを用いているので、該真空弁の開閉の頻度等によって、独居老人等の建物家屋の住人の安否を確認できる。
【００４１】
また、該真空弁の開閉は、所定量の汚水が、前記真空弁ユニットに溜まった時点で行われるので、日々の微細な変動を吸収して誤通報の虞を減少させることが出来る。
【００４２】
更に、前記水位センサが、汚水の滞留量を検出することにより、滞留量の変動によって、独居老人等の建物家屋の住人の安否を確認できる。
【００４５】
また、請求項３に記載されたものでは、前記監視装置には、検出データのパターンによって、使用頻度の高い時間帯を抽出して、検出時間帯を設定する検出時間帯設定手段と、該検出時間帯内の検出データに基づいて、前記建物家屋の住人の安否を判断する安否判断手段とを有することを特徴とする請求項１又は２に記載の安否監視システムである。
【００４６】
このように構成された請求項３記載のものでは、前記検出時間帯内の検出データに基づいて、前記安否判断手段が、前記建物家屋の住人の安否を判断する。
【００４７】
このため、例えば、使用量が朝夕の時間帯に多い建物家屋には、朝夕の時間帯の検出データに基づいて、また、昼間の時間帯に多い建物家屋には、昼間の時間帯の検出データに基づいて、前記安否判断手段が各建物家屋の住人の安否を判断するので、建物家屋の住人の構成に個別に対応できる。
【００５８】
【発明の実施の形態１】
次に、本発明の実施の形態１を図面を参照しながら説明する。この実施例は、代表として、公共マスが設けられた場合で説明しているが、この構成が本発明の全てではない。
【００５９】
図１乃至図６は、本発明の実施の形態１の真空式下水道汚水収集装置の維持管理システムを用いた安否監視システムを示すものである。なお、前記従来例と同一乃至均等な部分については、同一符号を付して説明する。
【００６０】
まず、構成から説明すると、この実施の形態１の真空式下水道汚水収集装置の維持管理システムを用いた安否監視システムでは、建物家屋１，１には、各々水廻り設備として、キッチン，洗面台１ａ，トイレ１ｂ，及び浴室１ｃが設けられていて、各水廻り設備である洗面台等１ａ〜１ｃから排出される汚水を流下させる自然流下管３が、設けられている。
【００６１】
この自然流下管３には、水流センサ２６が設けられた公共マス２５が設けられてもよい。この場合は、複数の公共マス２５からの汚水管が、真空弁４が設けられた真空弁ユニットとしての汚水マス２に接続されている。
【００６２】
この公共マス２５は、汚水が流れるマス本体２５１と、マス本体２５１の上部に設けられて地上に開口される立ち上がり管２５２と、マス本体２５１への汚水の流入口と流出口とを有しており、水流センサ２６はマス本体２５１部に設けられている。
【００６３】
水流センサとしては、例えば、マス本体２５１の内部に、永久磁石２６ａを取り付けた堰板２５３が、その下端部が公共マス本体２５１底面近くに位置するようにして、汚水の流れ方向に揺動可能に設けられている。リードスイッチ２６ｂはマス本体２５１の底部外側又はマス本体２５１内に配置される。
【００６４】
図５（ａ）のように、水流センサ２６には、建物家屋毎に設けられた公共マス２５の汚水流路内に、汚水が衝突するとその流れ方向に揺動する堰板２５３と、該堰板２５３下部に永久磁石２６ａと、公共マス２５底面の外側に、永久磁石２６ａの磁場の強度により開閉するリードスイッチ２６ｂとが設けられている。水流センサ２６は、汚水が流れたら堰板２５３が揺動して、永久磁石２６ａとリードスイッチ２６ｂとの距離が離れるように配置され、リードスイッチ２６ｂと真空弁ユニット２に設けられた端末コントローラー２２とは、ケーブル２９で結ばれている。
【００６５】
水流センサ２６を構成する永久磁石２６ａとリードスイッチ２６ｂとの位置関係は、リードスイッチ２６ｂがマス本体２５１の底部外側におかれた場合には、永久磁石２６ａは堰板２５３の下部に設けられ、堰板２５３が揺動した場合に永久磁石２６ａとリードスイッチ２６ｂとの距離が離れるようにされている。従って、汚水が流れないときは、永久磁石２６ａとリードスイッチ２６ｂとの位置は近接しており、リードスイッチ２６ｂはＯＦＦの状態となっている。汚水が流れると、永久磁石２６ａとリードスイッチ２６ｂとの位置が離れて、リードスイッチ２６ｂはＯＮの状態となる。
【００６６】
リードスイッチ２６ｂは、マス底部外側面に取り付けられた脱着可能なコネクター２６ｃを介してケーブル２９に接続され、ケーブル２９は真空弁ユニット２に設けられた端末コントローラー２２まで、自然流下管３に沿って配線される。リードスイッチ２６ｂからの信号は、ケーブル２９を通って真空弁ユニット２の端末コントローラー２２に伝達される。
【００６７】
又、図５（ｂ）のように、水流センサ２６が、建物家屋毎に設けられた公共マス２５の汚水流路内に、汚水が衝突するとその流れ方向に揺動する堰板２５３と、該堰板２５３上部に永久磁石２６ａが取り付けられ、公共マス２５の中に永久磁石２６ａの磁場の強度により開閉するリードスイッチ２６ｂとが設けられているものでも良い。汚水が流れたら堰板２５３が揺動して、永久磁石２６ａとリードスイッチ２６ｂとが離れるように配置された水流センサ２６であり、リードスイッチ２６ｂと真空弁ユニット２に設けられた端末コントローラー２２とが、ケーブル２９で結ばれてるようにされてもよい。
【００６８】
リードスイッチ２６ｂがマス本体２５１の中におかれた場合には、永久磁石２６ａは堰板２５３の上部に設けられ、堰板２５３が揺動した場合に、永久磁石２６ａとリードスイッチ２６ｂとの距離が離れるようにされている。リードスイッチ２６ｂのＯＮ−ＯＦＦ作動機構は前述と同じである。
【００６９】
リードスイッチ２６ｂは、マス内部に取り付けられたコネクターボックス２６ｄ内に収納され、コネクターボックス２６ｄ外に取り付けられた脱着可能なコネクター２６ｃを介してケーブル２９に接続され、ケーブル２９は立ち上がり管２５２の壁から地中に出て、真空ユニット２に設けられた端末コントローラー２２まで、自然流下管３に沿って配線される。リードスイッチ２６ｂからの信号は、ケーブル２９を通って真空弁ユニット２の端末コントローラー２２に伝達される。コネクターボックス２６ｄは、Ｏリング、ネジ、ボルト、カシメ具等の仮固定手段によって、マス内の所定の位置から容易に移動しないよう、脱着可能に仮固定される。
【００７０】
水流センサ２６は静電容量センサであっても良く、静電容量センサは周囲物体の静電容量の変化を検知する。即ち、コイル（インダクタンスＬは常数）とコンデンサーとで構成される発信回路において、発信周波数（ｆ）はＬとＣとの関数である。コンデンサーの静電容量（Ｃ）は排水の有無で変化するので、発信回路からのｆを測定することで、排水流出入を知ることが出来る。
【００７１】
図６（ａ）は静電容量センサを取り付けた公共マス２５の一例の断面図である。静電容量センサの検出端子２７ａは公共マス２５の底面外側面に防水ボックス２７ｂに覆われて配置され、その信号はコネクター２７ｃを介してケーブル２９から真空弁ユニット２の端末コントローラー２２に伝送される。
【００７２】
水流センサ２６は超音波式レベルセンサであっても良く、超音波センサは、超音波受発信器２８ａから超音波を発信（→印Ａ）し、それが測定対象に当たって反射（→印Ｂ）して戻って来た超音波を受信して、発信から受信までの所要時間を計測して、対象物までの距離を測定する。従って、公共マス２５内に排水がある場合には、超音波発信器から排水表面までの距離が公共マスの底面までの距離路離より短く計測され、排水流出入を知ることができる。但し、音波は温度により速度が変わるので、温度センサー２８ｂを用いて補正を行う。
【００７３】
図６（ｂ）は超音波センサを取り付けた公共マス２５の一例の断面図である。超音波センサは超音波受発信器２８ａと温度センサー２８ｂと制御部２８ｃとを備えたセンサボックス２８ｄを、公共マス２５の本体２５１内に装着し、センサボックス２８ｄ外側に設けられたコネクター２８ｅを介してケーブル２９を経由しして真空弁ユニット２の端末コントローラー２２に伝送される。
【００７４】
以上のような水流センサ２６は、公共マス２５の中に全てのセンサ機器類があるものでは、機器類の機器類の水密性が必要となるが保守や点検が容易となる。またセンサ端子が公共マス外にあるものでは、排水や水蒸気が直接接する可能性が低くかつ静電容量センサ等安価なセンサを用いることができるが、保守や点検時に公共マスを掘り返す等の必要が生じる可能性がある。従って、いずれの方法を採るかは、状況に応じて適宜選択されることが望ましい。
【００７５】
この自然流下管３には、真空弁４が設けられた真空弁ユニットとしての汚水マス２が接続されている。
【００７６】
この汚水マス２は、主に、汚水を溜めるマス本体２ａと、このマス本体２内に設けられる真空弁４と、マス本体２の上部開口を閉塞する鋼鉄製の蓋体２ｂとを有している。
【００７７】
このうち、前記真空弁４は、汚水マス２のマス本体２ａ内に溜められた汚水が一定量、例えば４０リットルに到達すると、このマス本体２ａ内を大気圧に開放するように構成されている。
【００７８】
すなわち、この真空弁４は、常時は、真空弁吸込管１２と真空汚水管５との間を遮断している。また、マス本体２ａ内に設けられて、下部開口１４ａを臨ませる汚水量検出管１４には、上端に気体圧導入管１５を介して真空弁コントローラ１６が接続されている。
【００７９】
この真空弁コントローラ１６は、前記汚水量検出管１４内の圧力を検出して、一定圧力以上となると、前記真空弁４を開放するように構成されている。
【００８０】
また、この汚水マス２は、真空汚水管５及び真空下水管６を介して真空ステーション７の集水タンク８に接続されている。
【００８１】
この集水タンク８は、前記真空ステーション７内に設けられる真空ポンプ９，９によって、常に一定の真空度に保持されている。
【００８２】
更に、この集水タンク８には、圧送ポンプ１０が設けられている。この圧送ポンプ１０は、前記集水タンク８内に溜められた汚水を、下水管１１内を流下させて、最終処理場となる下水処理場に送出するように構成されている。
【００８３】
また、前記公共マス２５には水流センサ２６が取付られ、各真空弁ユニット２の汚水マス２ａ内には、汚水の水位を検出する水位センサ１８が設けられている。更に、前記真空弁４には、この真空弁４の開閉を検知する弁センサ１９が設けられている。
【００８４】
更に、この汚水マス２には、前記建物家屋１近傍に設けられて、外気を導入するベント管１７が設けられていて、このベント管１７のうち、地表から露出する一部分には、真空ステーション７の監視装置１２０による安否の監視結果を出力する出力部としての赤色発光部１７ａが設けられている。
【００８５】
これらの水流センサ２６、水位センサ１８及び弁センサ１９は、各々端末コントローラ２２に接続されている。この実施の形態１では、この端末コントローラ２２に、前記赤色発光部１７ａが接続されていて、安否の監視結果に応じて、前記赤色発光部１７ａを点灯させるように構成されている。
【００８６】
そして、これらの端末コントローラ２２は、前記真空ステーション７に設けられた監視装置１２０に、前記真空汚水管５及び真空下水管６に沿って敷設されるケーブル２３を介して各々接続されている。
【００８７】
この監視装置１２０には、前記各ケーブル２３…を接続するインターフェース２４を有して、パーソナルコンピュータ等から構成されるコントロールユニット１２１が設けられている。
【００８８】
このコントロールユニット１２１には、中央演算装置としてのＣＰＵ１２２と共に、プログラミングを保持するＲＯＭ部１２３と、書き換え可能な照合データを保持するデータベース部１２４と、前記ＲＯＭ部に保持されたプログラミングを読み込んで、前記データベース部１２４に保持された照合データを演算するＲＡＭ部１２５とが設けられている。
【００８９】
そして、この監視装置１２０によって、汚水水位の正常・異常、真空弁の開閉状態及び動作回数等がモニタリングされて、前記データベース部１２４に蓄積された照合データと、前記インターフェース部２４から送られてくる検出データとを比較することにより、前記真空弁４及び水位の異常・故障等の早期発見が行われるように構成されている。
【００９０】
この実施の形態１の前記ＲＡＭ部１２５には、前記ＲＯＭ部１２３等からのプログラミングの読み込みによって、前記送られてくる検出データに対して比較の対象となる照合データを、この検出データを用いて、順次更新して記憶する照合データ記憶部１２６が構成される。
【００９１】
また、このＲＡＭ部１２５には、前記送られてくる検出データを漸次記憶する検出データ記憶部１２７が構成されている。
【００９２】
そして、これらの照合データ記憶部１２６の照合データと検出データ記憶部１２７の検出データをオンタイムで比較する比較部１２８が構成されていて、この比較部１２８によって、照合データと検出データとの一致度を判断して前記集積された検出データから、前記建物家屋の住人の安否が監視できるように構成されている。
【００９３】
更に、この実施の形態１では、検出データのパターンによって、使用頻度の高い時間帯を抽出して、検出時間帯を設定する検出時間帯設定手段１２９が設けられている。
【００９４】
また、この検出時間帯設定手段１２９によって設定された検出時間帯内の検出データに基づいて、前記建物家屋１の住人の安否を判断する安否判断手段１３０が設けられている。
【００９５】
これらの監視装置１２０は、制御盤１３１を介して前記真空ポンプ９及び圧送ポンプ１０に接続されていると共に、前記インターフェース部２４を介して、電話線１３２に接続されている。
【００９６】
この電話線１３２は、前記真空ステーション１２０から離間した場所に位置する管理部署としての下水道局、市町村役場、消防署、警察署１３３等に接続されて、各々モデム装置或いはＴＡ装置等のインターフェース１３３ａを介して前記真空ステーション７の監視装置１２０による安否の監視結果をモニタリングするモニタ端末を有する各パーソナルコンピュータ１３３ｂに前記安否の情報を送信可能としている。
【００９７】
次に、この実施の形態１の作用について説明する。
【００９８】
この実施の形態１の真空式下水道汚水収集装置の維持管理システムを用いた安否監視システムでは、前記真空ステーション７の監視装置１２０を利用して、前記公共マス２５に設けられた水流センサー２６、及び前記汚水マス２に設けられた水位センサ１８及び弁センサ１９で検出された検出データが集積される。
【００９９】
まず公共マス２５内を、各建物家屋１の前記洗面台１ａ等から、生活排水である汚水が前記自然流下管３を介して流下する。
【０１００】
公共マス２５内に設けられた堰板２５３は流下する汚水により揺動し、堰板２５３に取り付けられた永久磁石２６ａとリードスイッチ２６ｂとの距離が離れて、リードスイッチ２６ｂがＯＮとなりその信号がケーブル２９を通って真空弁ユニット２に設けられた端末コントローラー２２に送られる。
【０１０１】
公共マスを出た汚水は、前記自然流下管３を介して前記汚水マス２のマス本体２ａ内に流入して溜められる。
【０１０２】
居住者の水道等の使用により、汚水の滞留量が増大すると、前記汚水量検出管１４の下部開口１４ａが閉塞されて、汚水量検出管１４内部を水面が上昇し、この汚水量検出管１４内の圧力が上昇する。
【０１０３】
これらの汚水が一定量、例えば４０リットルに到達すると、前記汚水量検出管１４内の圧力が、予め定められた一定値を越えて、前記真空弁コントローラ８を作動させる。
【０１０４】
この真空弁コントローラ８の作動により、前記真空弁４は開放され、大気圧にこのマス本体２ａ内が開放されると共に、前記弁センサ１９は、真空弁４が開放された状態を検出して、前記ケーブル２３を介して前記真空ステーション７の監視装置１２０に検出データを送信する。
【０１０５】
前記コントロールユニット１２１では、図４のフローチャート図のＳｔｅｐ１に示すように、安否判断をスタートさせると、Ｓｔｅｐ２では、この検出データを前記インターフェース２４から取り込むと共に、Ｓｔｅｐ３では、前記検出データ記憶部１２７に一旦、検出データが保存されると共に、Ｓｔｅｐ４では、前記照合データ記憶部１２６で、この検出データを用いて順次、記憶された照合データを更新し、常に直近の使用状況に沿った照合データにオンタイムで更新する。
【０１０６】
そして、Ｓｔｅｐ５では、前記比較部１２８によって、前記検出データ記憶部１２７に一旦、保存された検出データと、前記照合データ記憶部１２６で、更新、記憶された照合データとが比較される。
【０１０７】
この際、例えば、昨日まで、規則的に真空弁４が開閉されていたのと同様に、開閉されれば、比較は一致しているので、Ｓｔｅｐ２に戻り、検出データの取り込みを続行すると共に、昨日まで、規則的に真空弁４が開閉されていたのに、突然、真空弁４の開閉が停止した場合等には、居住者である独居老人に、前記水廻り設備を使用出来ない何らかの理由が発生したと判断して、Ｓｔｅｐ６に進む。
【０１０８】
Ｓｔｅｐ６では、安否判断手段１３０によって、独居老人に危険が生じた旨の監視結果が、前記インターフェース２４及び電話線１３２を介して下水道局１３３等の管理部署に送信出力される。
【０１０９】
下水道局１３３等の管理部署では、この監視結果がインターフェース１３３ａを介して受信して、パソコン１３３ｂの画面等に出力表示される。
【０１１０】
また、この監視結果は、前記インターフェース２４及びケーブル２３を介して前記汚水マス２に送信出力される。汚水マス２の端末コントローラ２２では、この監視結果を受けて、前記ベント管１７に設けられた赤色発光部１７ａを点灯させる。
【０１１１】
このように、生活に欠かせない水廻りの使用によって一日数回行われる真空弁４の開閉を検出する弁センサ１９を用いるので、真空弁４の開閉の頻度等によって、独居老人等の建物家屋の住人の安否を確認できる。
【０１１２】
また、真空弁４の開閉は、所定量の汚水が、前記汚水マス２に溜まった時点で行われるので、日々の微細な変動が吸収されて誤通報の虞を減少させることが出来る。
【０１１３】
そして、前記水位センサ１９でも、汚水の滞留量を検出することにより、滞留量の変動によって、独居老人等の建物家屋の住人の安否を確認できる。
【０１１４】
このため、新たに、建物家屋１内に、安否確認の為に、各種センサを配置する必要が無いと共に、前記汚水マス２から前記真空ステーション７までの間を接続する既存のケーブル２３等の回線を利用して、検出データを送受信できるので、追加工事の増大を抑制して、既存のインフラを活用することにより、コストを削減出来る。
【０１１５】
また、この実施の形態１では、前記検出時間帯設定手段１２９によって、真空弁４の開閉の頻度が高い時間帯を設定できる。
【０１１６】
そして、この検出時間帯内の検出データに基づいて、前記安否判断手段１３０が、前記建物家屋１の住人の安否を判断する。
【０１１７】
このため、例えば、使用量が朝夕の時間帯に多い建物家屋１には、朝夕の時間帯の検出データに基づいて、また、昼間の時間帯に多い建物家屋１には、昼間の時間帯の検出データに基づいて、前記安否判断手段１３０が各建物家屋の住人の安否を判断するので、建物家屋の住人の構成に個別に対応できる。
【０１１８】
更に、前記照合データ記憶部１２６に記憶された照合データが、検出データが用いられて、順次更新されていくので、常に直近の使用状況に沿ったデータを照合データとして用いることが出来、監視精度を向上させることができる。
【０１１９】
また、前記真空ステーション７から離間した場所に位置する下水道局を始め、市町村役場、消防署、警察署等の管理部署１３３に設けられたパーソナルコンピュータ１３３ｂ等のモニタ端末によって、前記真空ステーション７の監視装置１２０による安否の監視結果がモニタリング出来る。
【０１２０】
このため、各真空ステーション７，７毎に人員を配置する必要が無く、管理部署１３３によって複数の真空ステーション７，７を一元管理できる。
【０１２１】
従って、監視が必要な建物家屋１…が散在している場合であっても、人件費の高騰を抑制しつつ在宅の安否を監視出来るので、田園町村部等の安否監視システムとして用いて好適である。
【０１２２】
また、この実施の形態１では、前記各建物家屋１近傍に設けられたベント管１７の赤色発光部１７ａが、前記真空ステーション７の監視装置１２０による安否の監視結果を出力して発光表示する。
【０１２３】
このため、近隣の住人がこの赤色発光部１７ａの発光によって出力される安否の情報に基づいて直ちに駆け付けることが出来るので、更に、独居老人の救命率を向上させることができる。
【０１２４】
以上、本発明の実施の形態１を図面に基づいて説明してきたが、本発明は、前記実施の形態１に限定されるものでなく、本発明の要旨を変更しない範囲の設計変更があっても、本発明に含まれる。
【０１２５】
例えば、実施の形態１の真空式下水道汚水収集装置の維持管理システムを用いた安否監視システムでは、前記各真空弁ユニット２の汚水マス２ａ内に、汚水の水位を検出する水位センサ１８が設けられていると共に、前記真空弁４の開閉を検知する弁センサ１９が設けられているが、特にこれに限らず、例えば、水位センサ１８又は弁センサ１９のうち、少なくとも何れか一方であっても良い。
【０１２６】
例えば、前記弁センサ１９のみを設けた場合には、簡便なＯＮ−ＯＦＦスイッチを用いて弁センサ１９を構成することにより、電源を必要とせずに、前記真空ステーション７で、検出データを収集できる。
【０１２７】
また、前記真空弁ユニット２に流出入する汚水の流量を検出する水流センサや、汚水の流出入に際してベント管１７から取り入れられる空気流を検出する気流センサ等、汚水の流出入を検出したり、或いは、前記真空弁ユニット２に設けられて故障又は異常を検出するセンサで有れば、どのようなセンサであってもよい。
【０１２８】
更に、この実施の形態１では、管理部署としての下水道局、市町村役場、消防署、警察署１３３等を例示しているが、特にこれに限らず、例えば、前記真空ステーション１２０で監視結果をモニタリングしたり、或いは、介護ステーションで監視結果をモニタリングしても良く、モニタリングが複数箇所で行われてもよい。
【０１２９】
また、前記汚水マス２の端末コントローラ２２は、前記真空ステーション７に設けられた監視装置１２０に、前記真空汚水管５及び真空下水管６に沿って敷設されるケーブル２３を介して各々接続されているが、特にこれに限らず、例えば、前記汚水マス２の端末コントローラ２２と、前記真空ステーション７の監視装置１２０との間を無線装置を介して接続するようにしてもよい。
【０１３０】
そして、前記監視装置１２０と、前記管理部署としての下水道局、市町村役場、消防署、警察署１３３等との間を接続する電話線１３２に代えて、インターネット網や、地域ケーブルテレビのケーブル線或いは無線装置等を介して接続するようにしてもよい。
【０１３１】
なお、公共マス２５内に水流センサ２６を設けた場合には、水位センサ１８又は弁センサ１９は、維持管理専用として用いてもよい。更に、赤色発色部１７ａは、通常は真空弁ユニット２に取り付けられるが、真空弁ユニットに流入する汚水が、複数の公共マス２５から流入している場合には、公共マス２５に取り付けてもよい。
【０１３２】
【発明の効果】
以上、上述してきたように、請求項１に記載のものでは、真空弁ユニットが数軒に１個づつ配置して敷設される場合であっても、前記真空ステーションの監視装置では、前記公共マスに設けられたセンサで検出された検出データを集積して、前記建物家屋の住人の安否が監視できる。
【０１４１】
このため、新たに、建物家屋内に各種センサを配置する必要が無いと共に、前記公共マスから発信された信号は真空弁ユニットから前記真空ステーションまでの間を接続する既存の回線を利用して、検出データを送受信できるので、追加工事の増大を抑制して、既存のインフラを活用することにより、コストを削減出来る。
【０１４２】
そして、請求項２に記載されたものでは、前記真空弁ユニット内に設けられるセンサは、真空弁の開閉を検出する弁センサ及び／又は汚水の滞留量を検出する水位センサを用いているので、該真空弁の開閉の頻度等によって、独居老人等の建物家屋の住人の安否を確認できる。
【０１４３】
このように構成された請求項２記載のものでは、前記真空弁ユニット内に設けられるセンサとして、真空弁の開閉を検出する弁センサを用いているので、該真空弁の開閉の頻度等によって、独居老人等の建物家屋の住人の安否を確認できる。
【０１４４】
該真空弁の開閉は、所定量の汚水が、前記真空弁ユニットに溜まった時点で行われるので、日々の微細な変動を吸収して誤通報の虞を減少させることが出来る。
【０１４５】
更に、前記水位センサが、汚水の滞留量を検出することにより、滞留量の変動によって、独居老人等の建物家屋の住人の安否を確認できる。
【０１４６】
また、請求項３に記載されたものでは、前記検出時間帯内の検出データに基づいて、前記安否判断手段が、前記建物家屋の住人の安否を判断する。
【０１４７】
このため、例えば、使用量が朝夕の時間帯に多い建物家屋には、朝夕の時間帯の検出データに基づいて、また、昼間の時間帯に多い建物家屋には、昼間の時間帯の検出データに基づいて、前記安否判断手段が各建物家屋の住人の安否を判断するので、建物家屋の住人の構成に個別に対応できる。
【図面の簡単な説明】
【図１】本発明の実施の形態１の真空式下水道汚水収集装置の維持管理システムを用いた安否監視システムで、主要部の構成を説明する模式図である。
【図２】実施の形態１の真空式下水道汚水収集装置の維持管理システムを用いた安否監視システムで、制御を行う要部の構成を説明するブロック図である。
【図３】実施の形態１の真空式下水道汚水収集装置の維持管理システムを用いた安否監視システムで、全体の構成を説明する一部断面鳥瞰図である。
【図４】実施の形態１の真空式下水道汚水収集装置の維持管理システムを用いた安否監視システムで、主な制御を説明するフローチャート図である。
【図５】（ａ）リードスイッチが公共マスの外に配置されている水流センサを備えた公共マスの一例の断面図である。（ｂ）リードスイッチが公共マスの中に配置されている水流センサを備えた公共マスの一例の断面図である。
【図６】（ａ）静電容量式である水流センサを備えた公共マスの一例の断面図である。（ｂ）超音波式レベルセンサである水流センサを備えた公共マスの一例の断面図である。
【図７】従来例の真空式下水道汚水収集システムの構成を説明する模式図である。
【図８】従来例の真空式下水道汚水収集装置の維持管理システムで、建物家屋に用いられる真空弁ユニットの構成を説明する一部断面模式図である。
【符号の説明】
１      建物家屋
２      汚水マス（真空弁ユニット）
４      真空弁
７      真空ステーション
１８    水位センサ
１９    弁センサ
２３    ケーブル
２５    公共マス
２６    水流センサ
１２０  監視装置
１２６  照合データ記憶部
１２７  検出データ記憶部
１２８  比較部
１２９  検出時間帯設定手段
１３０  安否判断手段
１３３  下水道局（管理部署）
【図１】
0004189205.tif 000002
【図２】
0004189205.tif 000003
【図３】
0004189205.tif 000004
【図４】
0004189205.tif 000005
【図５】
0004189205.tif 000006
【図６】
0004189205.tif 000007
【図７】
0004189205.tif 000008
【図８】
0004189205.tif 000009